(57)【特許請求の範囲】
【請求項１】
少なくとも１つの処理装置を有し、前記処理装置及び当該処理装置によって所定の処理が行われる処理対象物によって決められる駆動条件によって前記処理装置が駆動することにより前記処理対象物に対する処理が行われる作業システムにおいて、
所望の処理を行う処理対象物及び該処理対象物に対して前記所望の処理を行う処理装置によって決められる駆動条件が書き込まれた記録媒体を具備し、
前記処理装置は、
前記記録媒体から前記駆動条件を読み取る情報読取手段と、
前記情報読取手段にて読み取られた駆動条件に基づいて前記処理対象物に対する処理を行う処理手段と、
前記情報読取手段にて読み取られた駆動条件以外に当該処理装置における前記処理対象物に対する処理を制御するための条件が入力される操作手段と、
前記操作手段を介して入力された条件を前記記録媒体に書き込む情報書込手段とを有し、
前記処理手段は、前記情報読取手段にて読み取られた駆動条件と前記操作手段を介して入力された条件とに基づいて前記処理対象物に対する処理を行うことを特徴とする作業システム。
【請求項２】
請求項１に記載の作業システムにおいて、
前記情報書込手段は、前記処理手段における前記処理対象物に対する処理の経緯を前記記録媒体に書き込むことを特徴とする作業システム。
【請求項３】
請求項１または請求項２に記載の作業システムにおいて、
前記記録媒体は、非接触状態にて情報の書き込み及び読み取りが可能な非接触型ＩＣカードであり、
前記情報読取手段は、前記記録媒体に対して非接触状態にて情報を読み取り、
前記情報書込手段は、前記記録媒体に対して非接触状態にて情報を書き込むことを特徴とする作業システム。
【発明の詳細な説明】
【０００１】
【発明の属する技術分野】
本発明は、専用の処理装置を用いて所定の処理を行う作業システムに関し、特に、ＩＣカードを用いて所定の処理を行う作業システムに関する。
【０００２】
【従来の技術】
従来より、専用の処理装置を用いて所定の処理を行う作業システムにおいては、処理を行うための専用の処理装置を用いて処理対象物に所定の処理が行われている。
【０００３】
例えば、いわゆるビジネスフォームと呼ばれる帳票を作製する工程においては、所定の情報が印字された帳票が連続帳票である場合に、帳票に所定の情報が印字された後に、予めページ毎に加工されているミシン線毎に断裁を行う断裁処理や、予めページ毎に加工されているミシン線毎に断裁を行うとともに、ページ毎の折り加工と接着処理とを行うことによって帳票をはがきまたは封書形態に仕上げるメーリング加工処理等の後処理が行われるが、これらの後処理はそれぞれ専用の処理装置を用いて行われる。また、所定の情報が印字された帳票が単片形態のものである場合は、断裁処理が行われずに折り加工と接着処理が行われる。また、別々に印字された帳票をマッチングをとりながら丁合する処理等も後処理として挙げられる。また、これらの後処理に加えて、帳票に印字された情報の切換ページ毎の区分け作業が行われる場合もある。
【０００４】
以下に、帳票を作製する工程における後処理について、断裁処理を帳票に行う場合を例に挙げて説明する。
【０００５】
図５は、帳票を作製する工程における後処理の一例を説明するためのフローチャートである。
【０００６】
帳票に所定の情報が印字された後（ステップＳ１０１）、その後処理として帳票を断裁する場合、まず、オペレータによって帳票の種類が認識され（ステップＳ１０２）、帳票の種類に応じて、帳票を断裁する処理装置の駆動条件が設定される（ステップＳ１０３）。ここで、オペレータは、帳票のデザインや、帳票が入れられている箱の側面等に記載されている帳票名等の情報によって帳票の種類を認識する。また、処理装置の駆動条件は、帳票及び処理装置毎に予め決められており、処理装置に帳票毎にその駆動条件に設定するためのチャンネルが設けられているか、あるいは駆動条件が記載された作業指示書が帳票に添付されてきてオペレータが作業指示書に従って設定する。または、オペレータが帳票毎に処理装置の駆動条件を予め認識している場合もある。
【０００７】
処理装置の駆動条件が設定された後、帳票が処理装置に挿入され、処理装置においてステップＳ１０３にて設定された駆動条件によって帳票の断裁処理が行われる（ステップＳ１０４）。
【０００８】
ここで、帳票の断裁処理中に、処理装置内における帳票の搬送速度や断裁位置等について微調整を行う必要がある場合（ステップＳ１０５）、オペレータは、帳票の断裁処理が、不具合なく、かつ予め決められた条件を満たすように処理装置の微調整を行う（ステップＳ１０６）。例えば、帳票は紙を材料としているため、印字処理がノンインパクト方式のプリンタにて行われた場合、帳票にしわやカール、縮み等が発生する場合があり、これらしわやカール、縮み等によって、後処理を行う処理装置内にて帳票の搬送中に帳票が折り曲る等の不具合が生じる虞れがある。そこで、オペレータは、断裁処理において、帳票が折り曲らないように処理装置内における帳票の搬送速度を微調整する。
【０００９】
１種類の帳票の断裁処理が終了すると（ステップＳ１０７）、断裁処理が施された帳票が、帳票に対する折り加工や接着処理等の後工程に渡される（ステップＳ１０８）。
【００１０】
【発明が解決しようとする課題】
しかしながら、上述したような従来の作業方法においては、帳票のデザインや、帳票が入れられている箱の側面等に記載されている帳票名等の情報によって帳票の種類が認識され、その帳票の種類に応じて処理装置の駆動条件が設定されるため、帳票の種類が誤って認識されてしまう虞れがあり、帳票の種類が誤って認識されてしまった場合、処理装置の駆動条件が本来設定されるべき駆動条件とは異なるものとなってしまい、帳票に対する所定の処理が正しく行われなくなってしまうという問題点がある。
【００１１】
また、所定の処理中に、当該処理が不具合なく、かつ予め決められた条件を満たすように行われるようにするために処理装置の微調整を行う必要がある場合、この微調整が熟練のオペレータでないと行うことが困難であるため、オペレータが限定されてしまうという問題点がある。
【００１２】
本発明は、上述したような従来の技術が有する問題点に鑑みてなされたものであって、オペレータを限定することなく、かつ、処理装置の駆動条件を正しく設定することができる作業システムを提供することを目的とする。
【００１３】
【課題を解決するための手段】
上記目的を達成するために本発明は、
少なくとも１つの処理装置を有し、前記処理装置及び当該処理装置によって所定の処理が行われる処理対象物によって決められる駆動条件によって前記処理装置が駆動することにより前記処理対象物に対する処理が行われる作業システムにおいて、
所望の処理を行う処理対象物及び該処理対象物に対して前記所望の処理を行う処理装置によって決められる駆動条件が書き込まれた記録媒体を具備し、
前記処理装置は、
前記記録媒体から前記駆動条件を読み取る情報読取手段と、
前記情報読取手段にて読み取られた駆動条件に基づいて前記処理対象物に対する処理を行う処理手段と、
前記情報読取手段にて読み取られた駆動条件以外に当該処理装置における前記処理対象物に対する処理を制御するための条件が入力される操作手段と、
前記操作手段を介して入力された条件を前記記録媒体に書き込む情報書込手段とを有し、
前記処理手段は、前記情報読取手段にて読み取られた駆動条件と前記操作手段を介して入力された条件とに基づいて前記処理対象物に対する処理を行うことを特徴とする。
【００１５】
また、前記情報書込手段は、前記処理手段における前記処理対象物に対する処理の経緯を前記記録媒体に書き込むことを特徴とする。
【００１６】
また、前記記録媒体は、非接触状態にて情報の書き込み及び読み取りが可能な非接触型ＩＣカードであり、
前記情報読取手段は、前記記録媒体に対して非接触状態にて情報を読み取り、
前記情報書込手段は、前記記録媒体に対して非接触状態にて情報を書き込むことを特徴とする。
【００１７】
（作用）
上記のように構成された本発明においては、処理装置にて処理対象物に対して所望の処理を行う場合、記録媒体に書き込まれた情報を処理装置内の情報読取手段にて読み取らせる。この記録媒体には、所望の処理を行う処理対象物及びこの処理対象物に対する処理を行う処理装置によって決められる処理装置を駆動させるための駆動条件が書き込まれており、この駆動条件が情報読取手段にて読み取られると、処理装置内の処理手段において、情報読取手段にて読み取られた駆動条件に基づいて処理対象物に対する処理が行われる。
【００１８】
このように、所望の処理を行う処理装置を駆動させるための駆動条件が記録媒体に書き込まれており、記録媒体に書き込まれた駆動条件が処理装置にて読み取られることによりこの駆動条件に基づいて所望の処理が行われるので、処理装置を駆動させるための駆動条件を誤って設定してしまうことがなくなる。
【００１９】
また、処理装置における所定の処理中において、情報読取手段にて読み取られた駆動条件以外に処理装置における処理対象物に対する処理を制御するための条件が操作手段を介して入力された場合、情報読取手段にて読み取られた駆動条件と操作手段を介して入力された条件とに基づいて処理対象物に対する処理が行われるとともに、操作手段を介して入力された条件が処理装置内の情報書込手段によって記録媒体に書き込まれるので、その後、同じ処理対象物を同じ処理装置にて処理する場合にこの記録媒体に書き込まれた情報を処理装置内の情報読取手段にて読み取らせれば、操作手段を介して入力された条件も含めた駆動条件に基づいて処理装置における処理対象物に対する処理が行われることになる。
【００２０】
また、処理装置における処理対象物に対する処理の経緯を情報書込手段によって記録媒体に書き込んでおけば、この記録媒体に書き込まれた情報を読み取ることによって、処理対象物に対してどのような処理が既に行われたか、あるいは、処理中に発生した不具合等を認識することができる。
【００２１】
【発明の実施の形態】
以下に、本発明の実施の形態について図面を参照して説明する。なお、以下の実施の形態においては、所定の処理を行う対象物として帳票を例に挙げて説明するが、本発明は所定の処理が行われるものであればこれに限らない。
【００２２】
（第１の実施の形態）
図１は、本発明の作業システムの第１の実施の形態を示す図である。なお、図１においては、説明を簡単にするために３種類の帳票１０ａ〜１０ｃしか図示していないが、その数はこれに限らない。
【００２３】
本形態は図１に示すように、帳票１０ａ〜１０ｃに対してそれぞれ所定の処理を行う処理装置２０−１〜２０−ｎと、帳票１０ａ〜１０ｃが保管される保管領域３０とから構成されており、帳票１０ａ〜１０ｃは、帳票１０ａ〜１０ｃに対する処理を行うための情報がそれぞれ書き込まれ、非接触状態にて情報の書き込み及び読み取りが可能な非接触型のＩＣカード１１ａ〜１１ｃが添付された状態で保管領域３０に保管され、また、処理装置２０−１〜２０−ｎにて所定の処理が行われる場合にＩＣカード１１ａ〜１１ｃが添付された状態で保管領域３０から持ち出され、処理装置２０−１〜２０−ｎにて所定の処理が行われる。このように、帳票１０ａ〜１０ｃには、帳票１０ａ〜１０ｃに対する処理を行うための情報が書き込まれたＩＣカード１１ａ〜１１ｃがそれぞれ添付されており、このＩＣカード１１ａ〜１１ｃに書き込まれた情報に基づいて処理装置２０−１〜２０−ｎにて帳票１０ａ〜１０ｃに対して所定の処理が行われる。
【００２４】
また、処理装置２０−１〜２０−ｎにおいては、帳票１０ａ〜１０ｃに対して所定の処理を行う処理部２３−１〜２３−ｎと、処理装置２０−１〜２０−ｎの駆動条件を設定するための操作部２２−１〜２２−ｎと、帳票１０ａ〜１０ｃに対して所定の処理を行う場合に帳票１０ａ〜１０ｃに添付されたＩＣカード１１ａ〜１１ｃに書き込まれた情報を読み取るとともに、処理部２３−１〜２３−ｎにおける処理内容及び操作部２２−１〜２２−ｎを介して設定された駆動条件をＩＣカード１１ａ〜１１ｃに書き込む情報書込／読取部２１−１〜２１−ｎとが設けられており、処理部２３−１〜２３−ｎは、情報書込／読取部２１−１〜２１−ｎにてＩＣカード１１ａ〜１１ｃから読み取られた情報及び操作部２２−１〜２２−ｎを介して設定された駆動条件に従って帳票１０ａ〜１０ｃに対して所定の処理を行う。なお、本形態においては、情報書込／読取部２１−１〜２１−ｎにてＩＣカード１１ａ〜１１ｃに対する情報の書き込み及び読み取りが行われるが、ＩＣカード１１ａ〜１１ｃに対する情報の書き込みを行う情報書込手段と、ＩＣカード１１ａ〜１１ｃに対する情報の読み取りを行う情報読取手段とを別々に設けてもよい。
【００２５】
また、保管領域３０においては、帳票１０ａ〜１０ｃが保管領域３０から持ち出される際や帳票１０ａ〜１０ｃが保管領域３０に保管される際に該帳票１０ａ〜１０ｃに添付されたＩＣカード１１ａ〜１１ｃに書き込まれた情報を読み取る情報読取部３１と、情報読取部３１にてＩＣカード１１ａ〜１１ｃから読み取られた情報に基づいて帳票１０ａ〜１０ｃの処理状態を管理する管理部３２とが設けられている。
【００２６】
以下に、上記のように構成された作業システムにおける作業方法について、図１に示した処理装置２０−１において帳票１０ａの断裁処理を行う場合を例に挙げて詳細に説明する。
【００２７】
図２は、図１に示した作業システムにおける作業方法を説明するためのフローチャートである。
【００２８】
所定の情報が印字され、保管領域３０に保管されている帳票１０ａを保管領域３０から持ち出して処理装置２０−１にて帳票１０ａに断裁処理を行う場合（ステップＳ１）、帳票１０ａに添付されたＩＣカード１１ａを保管領域３０の情報読取部３１に翳し、それにより、ＩＣカード１１ａに書き込まれた情報を情報読取部３１にて読み取らせる（ステップＳ２）。
【００２９】
ここで、帳票１０ａに添付されたＩＣカード１１ａには、帳票１０ａの名称等、帳票１０ａを識別可能な情報が書き込まれているため、情報読取部３１にてＩＣカード１１ａから情報が読み取られると、管理部３２において、帳票１０ａが持ち出されたことが管理される（ステップＳ３）。
【００３０】
その後、オペレータが、処理装置２０−１にて帳票１０ａに断裁処理を行うために、帳票１０ａに添付されたＩＣカード１１ａを処理装置２０−１の情報書込／読取部２１−１に挿入すると、情報書込／読取部２１−１においてＩＣカード１１ａに書き込まれた情報が読み取られる（ステップＳ４）。
【００３１】
ここで、帳票１０ａに添付されたＩＣカード１１ａには、帳票１０ａの名称等、帳票１０ａを識別可能な情報以外に、処理装置２０−１における駆動条件を設定するための情報が書き込まれているため、情報書込／読取部２１−１にてＩＣカード１１ａから情報が読み取られると、処理部２３−１において、情報書込／読取部２１−１にてＩＣカード１１ａから読み取られた情報に基づいて、駆動条件が設定される（ステップＳ５）。なお、ＩＣカード１１ａに書き込まれている情報としては、帳票１０ａを識別可能な情報以外に、例えば、帳票１０ａの横幅、帳票１０ａの縦幅、帳票１０ａのパーツ数、左右のマージナルスリット位置、帳票１０ａを処理装置２０−１に挿入した場合の処理速度の設定値、区分け枚数、作業納期、作業上の注意事項コード等が挙げられる。
【００３２】
処理部２３−１において処理装置２０−１の駆動条件が設定された後、帳票１０ａを処理装置２０−１に挿入し、処理装置２０−１に設けられた起動ボタンをオペレータが押下すると、処理装置２０−１においてステップＳ５にて設定された駆動条件によって帳票２０−１の断裁処理が行われる（ステップＳ６）。なお、断裁処理中においては、処理の経緯が処理部２３−１にて記録されている。例えば、処理装置２０−１に挿入された帳票１０ａのうち断裁処理が正確に行われなかった帳票が存在する場合にその旨が記録される。
【００３３】
ここで、帳票１０ａの断裁処理中において、処理装置２０−１内における帳票１０ａの搬送速度や断裁位置等について微調整を行う必要がある場合（ステップＳ７）、オペレータは、帳票１０ａの断裁処理が、不具合なく、かつ予め決められた条件を満たすように行われるための駆動条件を操作部２２−１を介して入力する（ステップＳ８）。例えば、帳票１０ａは紙を材料としているため、印字処理がノンインパクト方式のプリンタにて行われた場合、帳票１０ａにしわやカール、縮み等が発生する場合があり、これらしわやカール、縮み等によって、後処理を行う処理装置内にて帳票１０ａの搬送中に帳票１０ａが折り曲る等の不具合が生じる虞れがある。そこで、オペレータは、断裁処理において、帳票１０ａが折り曲らないように処理装置２０−１内における帳票１０ａの搬送速度を微調整する。
【００３４】
帳票１０ａの断裁処理が終了すると（ステップＳ９）、情報書込／読取部２１−１において、処理装置２０−１のシリアル番号や、処理装置２０−１における帳票１０ａに対する断裁処理が終了した旨を示す情報や、処理部２３−１にて断裁処理中に記録されていた断裁処理の経緯や、ステップＳ８にて行われた微調整に関する情報等がＩＣカード１１ａに書き込まれる（ステップＳ１０）。また、処理装置２０−１において、断裁処理に伴って、断裁処理された帳票１０ａの枚数をカウントし、該カウント値をＩＣカード１１ａに書き込むことも考えられる。
【００３５】
その後、帳票１０ａを次の工程に進める場合は（ステップＳ１１）、ＩＣカード１１ａを帳票１０ａに添付した状態で、次の工程における処理を行う処理装置２０−２〜２０−ｎに帳票１０ａを持っていき、上記同様にして処理装置２０−２〜２０−ｎにおける処理を行う（ステップＳ１２）。その際、ＩＣカード１１ａには処理装置２０−１における断裁処理中の経緯が書き込まれているため、帳票１０ａにて抜け等が発生した場合等、次の工程における処理が行われる処理装置２０−２〜２０−ｎにてその旨を認識することができる。また、処理装置２０−１にて断裁処理された帳票１０ａの枚数がＩＣカード１１ａに書き込まれている場合は、所定の枚数毎に箱単位で管理されている帳票１０ａに対して、箱に添付されたＩＣカード１１ａに書き込まれた情報を読み取ることにより、その箱に入っている帳票１０ａのうち断裁処理されていない帳票１０ａの枚数を認識することができる。
【００３６】
また、帳票１０ａを保管領域３０に返却する場合は、帳票１０ａに添付されたＩＣカード１１ａを保管領域３０の情報読取部３１に翳し、それにより、ＩＣカード１１ａに書き込まれた情報を情報読取部３１にて読み取らせる（ステップＳ１３）。
【００３７】
すると、帳票１０ａに添付されたＩＣカード１１ａには、帳票１０ａが保管領域３０から持ち出された時にＩＣカード１１ａに書き込まれていた情報以外に、処理装置２０−１のシリアル番号や、処理装置２０−１における帳票１０ａに対する断裁処理が終了した旨を示す情報や、処理装置２０−１における断裁処理中の経緯等が書き込まれているため、管理部３２において、帳票１０ａが処理装置２０−１における断裁処理が終了して返却されたことが管理されるとともに（ステップＳ１４）、ＩＣカード１１ａから読み取られた情報に基づいて、処理装置２０−１〜２０−ｎにおける毎日の継続したログデータの集計、分析が行われる。
【００３８】
その後、この帳票１０ａに対して所定の処理を行う場合、帳票１０ａに対する断裁処理が終了していることが管理部３２にて管理されている以外にＩＣカード１１ａにも書き込まれているため、ＩＣカード１１ａに書き込まれた情報を読み取ることにより次に行うべき処理を認識することができる。
【００３９】
また、同じ種類の帳票に対して処理装置２０−１にて処理を行う場合、帳票１０ａに添付されたＩＣカード１１ａを処理を行う帳票に添付して上記同様にして処理を行えば、処理装置２０−１における微調整に関する情報が既にＩＣカード１１ａに書き込まれているため、再度微調整を行う必要はなくなる。
【００４０】
なお、上述した実施の形態においては、帳票１０ａ〜１０ｃが保管領域３０に保管され、帳票１０ａ〜１０ｃに所定の処理を行うオペレータが、所望の帳票を保管領域３０から持ち出し、処理装置２０−１〜２０−ｎにて処理を行うものについて説明したが、帳票１０ａ〜１０ｃが、処理装置２０−１〜２０−ｎを結ぶ搬送経路（不図示）上を搬送されていき、処理装置２０−１〜２０−ｎにて順次所定の処理が行われる場合に、搬送経路上に、帳票１０ａ〜１０ｃに添付されたＩＣカード１１ａ〜１１ｂに書き込まれた情報を読み取ることが可能なゲートを設けておき、このゲートにおいて、ＩＣカード１１ａ〜１１ｂに書き込まれた情報を読み取り、それにより、処理装置２０−１〜２０−ｎにて帳票１０ａ〜１０ｃに対して所定の処理を行うとともに、帳票１０ａ〜１０ｃの所在を管理することも考えられる。
【００４１】
また、上述した実施の形態においては、帳票１０ａに添付されたＩＣカード１１ａに書き込まれた情報のみを用いて処理装置２０−１における駆動条件の設定、並びに保管領域３０における管理を行う場合について説明したが、オペレータが保有するオペレータを識別可能な情報が書き込まれた個人ＩＤカードを用いることも考えられる。
【００４２】
その場合、オペレータが保管領域３０から帳票１０ａを持ち出す際に個人ＩＤカードを情報読取部３１に翳し、それにより、どのオペレータが帳票１０ａを持ち出したかを管理部３２にて管理する。
【００４３】
また、処理装置２０−１にて帳票１０ａに対する断裁処理を行う際に、帳票１０ａに添付されたＩＣカード１１ａとともに個人ＩＤカードを情報書込／読取部２１−１に挿入する。この２枚のカードが情報書込／読取部２１−１に挿入されている場合にのみ、処理装置２０−１における帳票１０ａに対する断裁処理が行われるものとする。
【００４４】
その後、情報書込／読取部２１−１において、処理装置２０−１のシリアル番号や、処理装置２０−１における帳票１０ａに対する断裁処理が終了した旨を示す情報や、処理装置２０−１に対する微調整に関する情報等がＩＣカード１１ａに書き込まれる際に、情報書込／読取部２１−１において、個人ＩＤカードからオペレータを識別可能な情報を読み取り、この情報をＩＣカード１１ａに書き込む。これにより、処理装置２０−１における帳票１０ａに対する断裁処理を行ったオペレータがどのオペレータであるかがＩＣカード１１ａに書き込まれる。
【００４５】
オペレータが帳票１０ａを保管領域３０に返却し、帳票１０ａに添付されたＩＣカード１１ａを保管領域３０の情報読取部３１に翳して、ＩＣカード１１ａに書き込まれた情報を情報読取部３１にて読み取らせる際、オペレータを識別可能な情報もＩＣカード１１ａから読み取られ、管理部３２において、処理装置２０−１における帳票１０ａに対する断裁処理を行ったオペレータが管理される。
【００４６】
（第２の実施の形態）
図３は、本発明の作業システムの第２の実施の形態を示す図である。なお、図３においては、説明を簡単にするために３種類の帳票１０ａ〜１０ｃしか図示していないが、その数はこれに限らない。
【００４７】
本形態は図３に示すように、帳票１０ａ〜１０ｃに対してそれぞれ所定の処理を行う処理装置２０−１〜２０−ｎと、帳票１０ａ〜１０ｃが保管される保管領域１３０とから構成されており、帳票１０ａ〜１０ｃの保管領域１３０からの持ち出し及び保管領域１３０への返却、並びに処理装置２０−１〜２０−ｎにおける帳票１０ａ〜１０ｃに対する処理は、オペレータが保有するオペレータを識別可能な情報が書き込まれ、非接触状態にて情報の書き込み及び読み取りが可能な個人ＩＤカード４０に対する情報の書き込みあるいは読み取りを行うことによって実行される。
【００４８】
また、処理装置２０−１〜２０−ｎにおいては、帳票１０ａ〜１０ｃに対して所定の処理を行う処理部２３−１〜２３−ｎと、処理装置２０−１〜２０−ｎの駆動条件を設定するための操作部２２−１〜２２−ｎと、帳票１０ａ〜１０ｃに対して所定の処理を行う場合にオペレータが保有する個人ＩＤカード４０に書き込まれた情報を読み取るとともに、処理部２３−１〜２３−ｎにおける処理内容及び操作部２２−１〜２２−ｎを介して設定された駆動条件を個人ＩＤカード４０に書き込む情報書込／読取部２１−１〜２１−ｎとが設けられており、処理部２３−１〜２３−ｎは、情報書込／読取部２１−１〜２１−ｎにて個人ＩＤカード４０から読み取られた情報及び操作部２２−１〜２２−ｎを介して設定された駆動条件に従って帳票１０ａ〜１０ｃに対して所定の処理を行う。なお、本形態においては、情報書込／読取部２１−１〜２１−ｎにて個人ＩＤカード４０に対する情報の書き込み及び読み取りが行われるが、個人ＩＤカード４０に対する情報の書き込みを行う情報書込手段と、個人ＩＤカード４０に対する情報の読み取りを行う情報読取手段とを別々に設けてもよい。
【００４９】
また、保管領域１３０においては、帳票１０ａ〜１０ｃが保管領域１３０から持ち出される際や帳票１０ａ〜１０ｃが保管領域１３０に保管される際に個人ＩＤカード４０に書き込まれた情報を読み取るとともに、帳票１０ａ〜１０ｃが保管領域１３０から持ち出される際に処理装置２０−１〜２０−ｎにて帳票１０ａ〜１０ｃに所定の処理を行うための情報を個人ＩＤカード４０に書き込む情報書込／読取部３３と、処理装置２０−１〜２０−ｎにて帳票１０ａ〜１０ｃに所定の処理を行うための情報を処理装置２０−１〜２０−ｎ及び帳票１０ａ〜１０ｃ毎に管理するとともに、情報書込／読取部３３にて個人ＩＤカード４０から読み取られた情報に基づいて帳票１０ａ〜１０ｃの処理状態を管理する管理部３２と、オペレータが保管領域１３０から帳票１０ａ〜１０ｃを持ち出す際に持ち出す帳票１０ａ〜１０ｃを指定するための操作部３４とが設けられている。
【００５０】
以下に、上記のように構成された作業システムにおける作業方法について、図３に示した処理装置２０−１において帳票１０ａの断裁処理を行う場合を例に挙げて詳細に説明する。
【００５１】
図４は、図３に示した作業システムにおける作業方法を説明するためのフローチャートである。
【００５２】
所定の情報が印字され、保管領域１３０に保管されている帳票１０ａを保管領域３０から持ち出して処理装置２０−１にて帳票１０ａに断裁処理を行う場合（ステップＳ２１）、まず、オペレータは、保管領域１３０内の操作部３４を介して、保管領域１３０から持ち出す帳票１０ａ及び該帳票１０ａに対する処理を行う処理装置２０−１を指定する（ステップＳ２２）。
【００５３】
また、オペレータは、オペレータが保有するオペレータを識別可能な情報が書き込まれた個人ＩＤカード４０を保管領域１３０の情報書込／読取部３３に翳し、それにより、個人ＩＤカード４０に書き込まれた個人情報を情報書込／読取部３３にて読み取らせる（ステップＳ２３）。
【００５４】
情報書込／読取部３３においては、ステップＳ２２にて操作部３４を介して指定された帳票１０ａを処理装置２０−１にて断裁処理するための情報が管理部３２から読み出され、個人ＩＤカード４０に書き込まれる（ステップＳ２４）。
【００５５】
これにより、管理部３２においては、個人ＩＤカード４０によって識別されるオペレータによって帳票１０ａが持ち出されたことが管理される（ステップＳ２５）。
【００５６】
その後、オペレータが、処理装置２０−１にて帳票１０ａに断裁処理を行うために、個人ＩＤカード４０を処理装置２０−１の情報書込／読取部２１−１に挿入すると、情報書込／読取部２１−１において個人ＩＤカード４０に書き込まれた情報が読み取られる（ステップＳ２６）。
【００５７】
ここで、個人ＩＤカード４０には、保管領域１３０の情報書込／読取部３３において、帳票１０ａの名称等、帳票１０ａを識別可能な情報や、処理装置２０−１における駆動条件を設定するための情報が書き込まれているため、情報書込／読取部２１−１にて個人ＩＤカード４０から情報が読み取られると、処理部２３−１において、情報書込／読取部２１−１にて個人ＩＤカード４０から読み取られた情報に基づいて、駆動条件が設定される（ステップＳ２７）。なお、個人ＩＤカード４０に書き込まれている情報としては、オペレータを識別可能な情報以外に、例えば、帳票１０ａの横幅、帳票１０ａの縦幅、帳票１０ａのパーツ数、左右のマージナルスリット位置、帳票１０ａを処理装置２０−１に挿入した場合の処理速度の設定値、区分け枚数、作業納期、作業上の注意事項コード等が挙げられる。
【００５８】
処理部２３−１において処理装置２０−１の駆動条件が設定された後、帳票１０ａを処理装置２０−１に挿入し、処理装置２０−１に設けられた起動ボタンをオペレータが押下すると、処理装置２０−１においてステップＳ２７にて設定された駆動条件によって帳票２０−１の断裁処理が行われる（ステップＳ２８）。なお、断裁処理中においては、処理の経緯が処理部２３−１にて記録されている。例えば、処理装置２０−１に挿入された帳票１０ａのうち断裁処理が正確に行われなかった帳票が存在する場合にその旨が記録される。
【００５９】
ここで、帳票１０ａの断裁処理中において、処理装置２０−１内における帳票１０ａの搬送速度や断裁位置等について微調整を行う必要がある場合（ステップＳ２９）、オペレータは、帳票１０ａの断裁処理が、不具合なく、かつ予め決められた条件を満たすように行われるための駆動条件を操作部２２−１を介して入力する（ステップＳ３０）。例えば、帳票１０ａは紙を材料としているため、印字処理がノンインパクト方式のプリンタにて行われた場合、帳票１０ａにしわやカール、縮み等が発生する場合があり、これらしわやカール、縮み等によって、後処理を行う処理装置内にて帳票１０ａの搬送中に帳票１０ａが折り曲る等の不具合が生じる虞れがある。そこで、オペレータは、断裁処理において、帳票１０ａが折り曲らないように処理装置２０−１内における帳票１０ａの搬送速度を微調整する。
【００６０】
帳票１０ａの断裁処理が終了すると（ステップＳ３１）、情報書込／読取部２１−１において、処理装置２０−１のシリアル番号や、処理装置２０−１における帳票１０ａに対する断裁処理が終了した旨を示す情報や、処理部２３−１にて断裁処理中に記録されていた断裁処理の経緯や、ステップＳ３０にて行われた微調整に関する情報等が個人ＩＤカード４０に書き込まれる（ステップＳ３２）。
【００６１】
その後、帳票１０ａを次の工程に進める場合は（ステップＳ３３）、次の工程における処理を行う処理装置２０−２〜２０−ｎに帳票１０ａを持っていき、上記同様にして処理装置２０−２〜２０−ｎにおける処理を行う（ステップＳ３４）。その際、個人ＩＤカード４０には処理装置２０−１における断裁処理中の経緯が書き込まれているため、帳票１０ａにて抜け等が発生した場合等、次の工程における処理が行われる処理装置２０−２〜２０−ｎにてその旨を認識することができる。
【００６２】
また、帳票１０ａを保管領域１３０に返却する場合は、個人ＩＤカード４０を保管領域１３０の情報書込／読取部３３に翳し、それにより、個人ＩＤカード４０に書き込まれた情報を情報書込／読取部３３にて読み取らせる（ステップＳ３５）。
【００６３】
すると、個人ＩＤカード４０には、帳票１０ａが保管領域１３０から持ち出された際に個人ＩＤカード４０に書き込まれた情報以外に、処理装置２０−１のシリアル番号や、処理装置２０−１における帳票１０ａに対する断裁処理が終了した旨を示す情報や、処理装置２０−１における断裁処理中の経緯等が書き込まれているため、管理部３２において、個人ＩＤカード４０にて識別されるオペレータによって帳票１０ａが処理装置２０−１にて断裁処理が行われて返却されたことが管理されるとともに（ステップＳ３６）、個人ＩＤカード４０から読み取られた情報に基づいて、処理装置２０−１〜２０−ｎにおける毎日の継続したログデータの集計、分析が行われる。
【００６４】
その後、同じ種類の帳票に対して処理装置２０−１にて処理を行う場合、処理装置２０−１における微調整に関する情報が既に管理部３２にて管理されているため、この情報を処理を行うオペレータが保有する個人ＩＤカードに書き込み、上記同様にして処理を行えば、再度微調整を行う必要はなくなる。
【００６５】
なお、上述した実施の形態においては、オペレータが保有するオペレータを識別可能な情報が書き込まれた個人ＩＤカード４０を用いて帳票１０ａ〜１０ｃに対する処理装置２０−１〜２０−ｎにおける所定の処理、並びに保管領域１３０における帳票１０ａ〜１０ｃの管理を行うことを説明したが、保管領域１３０への入退室を管理するための入退室用カードを用いても上記同様にして帳票１０ａ〜１０ｃに対する処理装置２０−１〜２０−ｎにおける所定の処理、並びに保管領域１３０における帳票１０ａ〜１０ｃの管理を行うことができる。
【００６６】
【発明の効果】
以上説明したように本発明においては、所望の処理を行う処理対象物及びこの処理対象物に対する処理を行う処理装置によって決められる処理装置を駆動させるための駆動条件が書き込まれた記録媒体を用いて、処理装置にて処理対象物に対して所望の処理を行う場合、この記録媒体に書き込まれた情報を処理装置内の情報読取手段にて読み取らせ、処理装置内の処理手段において、情報読取手段にて読み取られた駆動条件に基づいて処理対象物に対する処理が行われる構成としたため、所望の処理を行う処理装置を駆動させるための駆動条件を正しく設定することができる。
【００６７】
また、処理装置における所定の処理中において、情報読取手段にて読み取られた駆動条件以外に処理対象物に対する処理を制御するための条件が操作手段を介して入力された場合、情報読取手段にて読み取られた駆動条件と操作手段を介して入力された条件とに基づいて処理対象物に対する処理が行われるとともに、操作手段を介して入力された条件が処理装置内の情報書込手段によって記録媒体に書き込まれる構成としたものにおいては、その後、同じ処理対象物を同じ処理装置にて処理する場合にこの記録媒体に書き込まれた情報を処理装置内の情報読取手段にて読み取らせれば、操作手段を介して入力された条件も含めた駆動条件に基づいて処理装置における処理対象物に対する処理を行うことができ、処理を行うオペレータが限定されることがなくなる。
【００６８】
また、処理装置における処理対象物に対する処理の経緯を情報書込手段によって記録媒体に書き込む構成としたものにおいては、この記録媒体に書き込まれた情報を読み取ることによって、処理対象物に対してどのような処理が既に行われたか、あるいは、処理中に発生した不具合等を認識することができる。
【図面の簡単な説明】
【図１】本発明の作業システムの第１の実施の形態を示す図である。
【図２】図１に示した作業システムにおける作業方法を説明するためのフローチャートである。
【図３】本発明の作業システムの第２の実施の形態を示す図である。
【図４】図３に示した作業システムにおける作業方法を説明するためのフローチャートである。
【図５】帳票を作製する工程における後処理の一例を説明するためのフローチャートである。
【符号の説明】
１０ａ〜１０ｃ    帳票
１１ａ〜１１ｃ    ＩＣカード
２０−１〜２０−ｎ    処理装置
２１−１〜２１−ｎ，３３    情報書込／読取部
２２−１〜２２−ｎ，３４    操作部
２３−１〜２３−ｎ    処理部
３０，１３０    保管領域
３１    情報読取部
３２    管理部
４０    個人ＩＤカード
【図１】
0004698065.tif 000002
【図２】
0004698065.tif 000003
【図３】
0004698065.tif 000004
【図４】
0004698065.tif 000005
【図５】
0004698065.tif 000006